(57)【要約】【課題】  架台上に洗面器又は手洗器を載置して固定する際の作業性が向上し、架台の厚味方向の寸法が小さくでき、外観上の意匠性を向上させることができる洗面器又は手洗器の取付構造を提供する。【解決手段】  載置部に貫通した複数の長孔を穿設した架台と、前記架台の載置部に載置され前記載置部と対向する部分に複数の取付孔を穿設した洗面器又は手洗器と、前記複数の取付孔に係止する突設した複数の係止部と、前記複数の係止部を一体的に支持固定した支持部と、前記支持部に支持され前記架台の下面に当接して押圧するための複数の押圧手段とを有する固定部材と、を備え、前記係止部を前記長孔から突出させて前記取付孔に係止した状態で、前記押圧手段により前記架台の下面を押圧して洗面器又は手洗器を取付ける構造。【選択図】  図１２
2005058402.tif 000002
【特許請求の範囲】
【請求項１】
載置部に貫通した複数の長孔を穿設した架台と、
前記架台の載置部に載置され周縁部に中空状の空間部を有し、この空間部の前記載置部と対向する部分に複数の取付孔を穿設した洗面器又は手洗器と、
前記複数の取付孔のそれぞれに係止する突設した複数の係止部と、前記複数の係止部を一体的に支持固定した支持部と、前記支持部に支持され前記架台の下面に当接して押圧するための複数の押圧手段とを有する固定部材と、を備え、
前記係止部を前記長孔から突出させて前記取付孔に係止した状態で、前記押圧手段により前記架台の下面を押圧することを特徴とする洗面器又は手洗器の取付構造。
【請求項２】
前記押圧手段を、前記支持部に配設した雌螺子部とこの雌螺子部に螺合する雄螺子部材とで構成したことを特徴とする請求項１記載の洗面器又は手洗器の取付構造。
【請求項３】
前記押圧手段が、一端が前記支持部に固定された圧縮バネであることを特徴とする請求項１記載の洗面器又は手洗器の取付構造。
【請求項４】
前記支持部は円環形状をなし、その円周上に前記係止部及び押圧手段を配設していることを特徴とする請求項１乃至３いずれかに記載の洗面器又は手洗器の取付構造。
【請求項５】
前記架台は周縁に垂下した折り返し部を有し、前記折り返し部の垂下寸法が、壁面側から前方側に向かって漸次小さくなるように構成されていることを特徴とする請求項１乃至４いずれかに記載の洗面器又は手洗器の取付構造。
【請求項６】
載置部に貫通した複数の長孔を穿設した架台を壁面に固定し、周縁部に中空状の空間部を有しこの空間部の前記載置部と対向する部分に複数の取付孔を穿設した洗面器又は手洗器を、前記長孔と取付孔が相対するように前記架台上に載置し、その後、前記複数の取付孔のそれぞれに係止する突設した複数の係止部と、前記複数の係止部を一体的に支持固定した支持部と、前記支持部に支持され前記架台の下面に当接して押圧するための複数の押圧手段とを有する固定部材を用いて、前記架台の下部から前記係止部が前記長孔を通過して前記取付孔に挿入して係止し、押圧手段によって前記支持部が前記架台から離れる方向に移動させることを特徴とする洗面器又は手洗器の取付方法。
【請求項７】
洗面器又は手洗器を架台上に載置して固定するための固定部材であって、
先端が折り返し形状の複数の係止部と、この複数の係止部を一体的に支持固定した板状の環状支持部と、この環状支持部に支持され前記係止部と同じ方向に突出しその突出量が調節可能な複数の押圧手段と、から構成されていることを特徴とする洗面器又は手洗器の固定部材。
【発明の詳細な説明】
【技術分野】
【０００１】
本発明は、架台上に載置して固定する洗面器又は手洗器の取付構造及び取付方法、洗面器又は手洗器の固定部材に関する。
【背景技術】
【０００２】
従来、手洗器を架台上に載置して取り付ける構造として、ボウル部の底部に固着され排水金具を介して架台に固定すると共に、手洗器の後方側下部に穿設した取付け孔を介して架台後部に設けたバックパネルに固定するものがある（例えば、特許文献１参照。）。
このような場合、架台とバックパネルのそれぞれに異なる固定具を準備し、複数の個所の固定作業を要し作業性が低下する問題点があった。
【０００３】
また、略円形の外観を有し、デザイン性に優れた、いわゆるベッセルタイプの手洗器と架台とが一体感のある形態とするために、前記特許文献１の構造においてバックパネルを取り除き、手洗器を排水金具を介してのみで架台に固定することが考えられる。この場合、一箇所で固定するため作業性が向上するが、固定する際に手洗器が回動しやすく所定位置に固定することが難しい。
【０００４】
また、他の公知の技術として図１３、図１４に示すように、フックボルト１１を手洗器１の下面に設けた取付穴６、架台２の長穴７を挿通したのち、ワッシャー１３を介して蝶ナット１２で手締めする方法がある。この場合、手で締め込むため架台２の下方から手を入れるためのスペースが必要となり、架台２の外周部２ａが大きくなったり、フックボルト１１が側面から見て露出して見栄えが悪くなったり、使用者、清掃者の手がひっかる危険性がある。フックボルト１１が見え難くしたり、使用者、清掃者の手がひっかる危険性を防止するために架台２の折り返し部２ｂを長くすると、架台２全体として大きくなり手洗器１の外観上の意匠性を低下させるなどの問題点があった。  
【特許文献１】特開２００２−４７９号公報（第１図、第５図）
【発明の開示】
【発明が解決しようとする課題】
【０００５】
本発明は、上記問題を解決するためになされたもので、本発明の課題は、架台上に洗面器又は手洗器を載置して固定する際の作業性が向上し、洗面器又は手洗器を架台に固定した状態で固定部材が外観上見えにくく、架台の厚味方向の寸法が小さくでき、外観上の意匠性を向上させることができる洗面器又は手洗器の取付構造を提供することである。
【課題を解決するための手段】
【０００６】
上記課題を解決するために、請求項１記載の発明は、載置部に貫通した複数の長孔を穿設した架台と、前記架台の載置部に載置され周縁部に中空状の空間部を有し、この空間部の前記載置部と対向する部分に複数の取付孔を穿設した洗面器又は手洗器と、前記複数の取付孔のそれぞれに係止する突設した複数の係止部と、前記複数の係止部を一体的に支持固定した支持部と、前記支持部に支持され前記架台の下面に当接して押圧するための複数の押圧手段とを有する固定部材と、を備え、前記係止部を前記長孔から突出させて前記取付孔に係止した状態で、前記押圧手段により前記架台の下面を押圧する取付構造とした。
【０００７】
このような取付構造においては、固定部材が手洗器又は洗面器に係止する係止部と、この係止部を架台に固定する押圧手段とを同一軸線ではなく異なった位置に設けている。そのため、従来から用いられているフックボルト、ＩＴボルトと蝶ナットとの組み合わせでの固定方法に比べて、固定に必要な鉛直方向の長さが短くて済み、また、押圧手段の架台の下面に当接する部分の面積も小さくできる。従って、この架台の幅を小さくすることができる上、架台の外周縁の折り返し部を小さくすることができ洗面器又は手洗器と架台とが一体となったデザイン性に優れた形態を構成することができる。
また、係止部を前記長孔から突出させて前記取付孔に係止した状態で、前記押圧手段により前記架台の下面を押圧するだけで洗面器又は手洗器を架台に固定するので固定の作業性が向上する。
また、ベッセルタイプの洗面器又は手洗器を用いる場合でも架台上に載置固定でき、架台を壁に固定するだけで壁取り付けタイプの洗面器又は手洗器を実現できる。
【０００８】
また、請求項２記載の発明は、前記押圧手段を前記支持部に配設した雌螺子部とこの雌螺子部に螺合する雄螺子部材とで構成したことにより、雄螺子部材を螺子込む簡単な構成で手洗器又は洗面器を固定することができる。
【０００９】
また、請求項３記載の発明は、前記押圧手段が、一端が前記支持部に固定された圧縮バネであるようにすることより、圧縮バネを圧縮した状態で係止部を手洗器又は洗面器の取付穴の周囲と係止させ、その後圧縮バネの圧縮を解除するだけで固定が完了するためその固定作業が簡単になる。また、固定部材の架台と対向してない面を平面とすることができるため固定部材の厚みが薄くなり、架台の外周縁の折り返し部もを必要最小限に小さくできるという効果がある。
【００１０】
また、請求項４記載の発明は、前記支持部は円環形状をなし、その円周上に前記係止部及び押圧手段を配設していることにより、ひとつの固定部材を用いて手洗器又は洗面器の取付けを行うことができ、作業が簡単になる。
【００１１】
また、請求項５記載の発明は、前記架台は周縁に垂下した折り返し部を有し、前記折り返し部の垂下寸法が壁面から前方側に向かって漸次小さくなるように構成している。そうすることにより、通常手洗器又は洗面器の前方に立って利用する使用者にとっては架台が目立たず、デザイン性に優れたものとなる。
【００１２】
さらに、請求項６記載の発明は、載置部に貫通した複数の長孔を穿設した架台を壁面に固定し、周縁部に中空状の空間部を有しこの空間部の前記載置部と対向する部分に複数の取付孔を穿設した洗面器又は手洗器を、前記長孔と取付孔が相対するように前記架台上に載置し、その後、前記複数の取付孔に係止する突設した複数の係止部と、前記複数の係止部を一体的に支持固定した支持部と、前記支持部に支持配設され前記架台の下面に当接して押圧するための複数の押圧手段とを有する固定部材を用いて、前記架台の下部から前記係止部が前記長孔を通過して前記取付孔に挿入して係止し、
押圧手段によって前記支持部が前記架台から離れる方向に移動させることを特徴とする洗面器又は手洗器の取付方法である。
【００１３】
このような取付方法によれば、架台の幅が洗面器又は手洗器の外縁寸法に近いものであっても容易に取り付け固定作業が行える。
【００１４】
また、請求項７記載の発明は、洗面器又は手洗器を架台上に載置して固定するための固定部材であって、先端が折り返し形状の複数の係止部と、この複数の係止部を一体的に支持固定した環状で板状の支持部と、この支持部に支持され前記係止部と同じ方向に突出しその突出量が調節可能な複数の押圧手段と、から構成されている。
【００１５】
このような固定部材を用いることにより、架台の幅が洗面器又は手洗器の外縁寸法に近いものにすることができる上、架台の外周縁の折り返し部を小さくすることによりデザイン性に優れたベッセルタイプなどの洗面器又は手洗器のデザイン性が損なわれることなく容易に壁固定することができる。
【発明の効果】
【００１６】
本発明によれば、洗面器又は手洗器を架台のみに固定するので固定の作業性が向上すると共に、洗面器又は手洗器と架台とが一体となったデザイン性に優れた形態が構成できる。
【発明を実施するための最良の形態】
【００１７】
本発明の実施の形態について、以下に図を用いて詳説する。
【００１８】
図１、図２、図３は本発明の実施例の手洗器１を架台２に取り付けた状態を説明する図で、図１は平面図、図２は正面図、図３は側面図である。壁面に架台２が木ねじ４で固定され、手洗器１は架台２上に載置されこの架台２の下方から固定金具３を用いて手洗器１を架台２に固定される。なお、手洗器１には水栓金具５が取り付けられている。
【００１９】
図４は手洗器１を底面側から見た図である。この手洗器１は陶器製で略円形状をなしている。底面には二条の手洗器足部１ａ、１ｂが全周に亘って形成され、手洗器足部１ａと１ｂの間の底壁部１ｃには４ヶ所の取付穴６が同一円周上に設けられている。取付穴６は底壁部１ｃから手洗器１の内部の図示しない空洞部分に向かって形成された貫通孔である。なお、１ｄは手洗器のボール面の排水穴であり、図示しない排水配管と連結して使用されるものであり、１ｅは水栓金具５を固定し、図示しない給水配管と連結するための水栓取付孔である。
【００２０】
図５、図６、図７は手洗器１を固定する架台２を説明する図で、図５は平面図、図６は正面図、図７は側面図である。手洗器１、水栓金具５の荷重を支えることができる上に、使用者が手をついたりもたれたりしても壁面から外れたり、ずれたりしないようにステンレスなど剛性のある材質で作られている。具体的には、図５に示すように、架台上面部２ａには、手洗器１に設けられた取付穴６と同一円周上に長穴７が取付穴６と同数の４ヶ所、同位置に設けられていると共に、排水配管と連通させるための開口７ａが設けられており、図６及び図７に示すように、架台２の前側縁を構成する架台折り返し部２ｂは後方から前方に向かって幅が狭くなるように構成されており、架台２の壁面と当接して固定される架台背面部２ｃには、木ねじ４の挿通孔４ａが左右４個所ずつ設けられている。なお、図示したように架台折り返し部２ｂは後方から前方に向かって幅狭になるように構成していた方が意匠上は好ましいが、同一幅で形成されていても良いものである。
【００２１】
図８、図９は手洗器１を架台２に取り付けるための固定金具３を示す図で、図８は平面図、図９は側面図である。固定金具３は手洗器１に設けられた取付穴６と略同じ円周と同一の直径をもつ平板状で円環状の支持部８と、この支持部８に一体的に設けた取付穴６と同数（４ヶ）の鉤形状の係止部９と、係止部９、９の間で同一円周上に４ヶ所設けられた押圧部１０とからなる。
【００２２】
係止部９は、手洗器１に設けられた取付穴６を引っ掛けて係止するための後述する突起を有しその突起は全て同じ方向を向いており、架台２、手洗器１の下方から挿通後、突起と同じ方向に回転させることで、架台２、手洗器１を同時に引っ掛けることができる。
【００２３】
図１０は押圧部１０を示す拡大断面図で、支持部８と一体に設けた雌螺子部１０ａと、この雌螺子部１０ａと螺合するボルト１０ｂとで構成している。
【００２４】
次に、図１１、図１２を用いて手洗器１の架台２への取付方法について説明する。図１１は固定金具３の係止部９を架台２の長孔７、手洗器１の取付孔６に挿通した状態を示す部分断面図で、図１２は固定金具３により手洗器１を架台２に固定した状態を示す部分断面図である。
【００２５】
先ず、壁面に木ねじ４で固定された架台２の上に手洗器１を載せ、手洗器１の取付穴６と架台２の長穴７の位置が一致するように合せる。続いて図１１に示すように固定金具３の係止部９を架台２の長穴７の位置に合うように下から挿通させて、同時に手洗器１の取付穴６にも挿通させる。その後、固定金具３の支持部８を手で下方から支持し、係止部９の手洗器１の取付穴６に引っ掛けて係止するための突起９ａが出ている方向に回転させる。その後、図１２に示すように押圧部１０のボルト１０ｂを螺子込むにつれてその先端部が架台２の下面に当接し、引き続いて螺子込むと固定金具３が架台２から離れる方向に移動して手洗器１が架台２に固定される。
【００２６】
押圧部１０のボルト１０ｂは六角ボルトやドライバーで固定するねじでもよい。押圧部１０が六角ボルトやドライバーでねじ込むことができるねじであって、支持部８にねじが切られて螺合している場合には、六角レンチ、ドライバーなどで締めこむことにより、容易に固定金具３を架台２から離れる方向に移動させ、手洗器１と架台２を確実に固定することができる。
【００２７】
また、押圧部１０をばねで構成することもできる。この場合、支持部８に一端が固定された圧縮ばねであった場合には、係止部９を取付穴６、長穴７に挿通した後、固定金具３を架台２に強く押し込んで係止部９の突起９ａの方向に回転させたのち、押しこんだ力を徐々に解除すると、十分に圧縮された押圧部１０の圧縮ばねが架台２と固定金具３にお互い離れる方向に弾性反力を生じせしむることによって、架台２から離れる方向に固定金具３を移動させ、手洗器１と架台２を確実に固定することができる。
【００２８】
上記実施例に示すように、係止部９と押圧部１０は、支持部８に同一円周上にそれぞれ別個に独立して配設支持されているため、押圧部１０の雄螺子部材１０ｂが架台２の下側に突出する長さを短くすることができ、押圧部１０を外観上露出しないように架台２の下側にスペースを大きく取ること必要がなく、手洗器１と架台２とが一体となった形態をスリムな形態とすることが可能となる。
【００２９】
以上の実施例においては手洗器について説明したが、ボール部にオーバーフロー孔が設けられた洗面器であってもよく、また、平面形状が円形のものに限らず、平面形状が四角形の手洗器又は洗面器においても適用できる。その場合、手洗器又は洗面器の左右の両側部に長孔の取付孔を設け、２つの係止部と２つの押圧部を備えた設けた左側用の固定金具と右側用の固定金具の独立した２ヶの固定金具を用いて取り付けることができる。
【図面の簡単な説明】
【００３０】
【図１】本発明の実施例である壁に固定された架台上に手洗器を取り付けた状態を説明する平面図である。
【図２】本発明の実施例である壁に固定された架台上に手洗器を取り付けた状態を説明する正面図である。
【図３】本発明の実施例である壁に固定された架台上に手洗器を取り付けた状態を説明する側面図である。
【図４】図１に示す手洗器１の底面図である。
【図５】図１に示す手洗器１を固定する架台２を説明する平面図である。
【図６】図１に示す手洗器１を固定する架台２を説明する正面図である。
【図７】図１に示す手洗器１を固定する架台２を説明する側面図である。
【図８】図１に示す手洗器１を架台１に取り付けるための固定金具の平面図である。
【図９】図１に示す手洗器１を架台１に取り付けるための固定金具の側面図である。
【図１０】図９に示す固定金具３の押圧部１０の拡大断面図である。
【図１１】図９に示す固定金具３の係止部９を架台２の長孔７、手洗器１の取付孔６に挿通した状態を示す部分断面図である。
【図１２】図９に示す固定金具３により手洗器１を架台２に固定した状態を示す部分断面図である。
【図１３】従来の手洗器の取付方法を用いた固定状態を示す部分断面図である。
【図１４】従来の手洗器の取付方法を用いた固定状態を示す部分断面図である。
【符号の説明】
【００３１】
１…手洗器
１ａ、１ｂ…手洗器足部
１ｃ…底壁部
１ｄ…排水穴
１ｅ…水栓取付穴
２…架台
２ａ…架台上面部
２ｂ…架台折り返し部
２ｃ…架台背面部
３…固定金具
４…木ねじ
４ａ…挿通孔
５…水栓金具
６…取付穴
７…長穴
７ａ…開口
８…支持部
９…係止部
１０…押圧部
１１…フックボルト
１２…蝶ナット
１３…ワッシャー
【図１】
2005058402.tif 000003
【図２】
2005058402.tif 000004
【図３】
2005058402.tif 000005
【図４】
2005058402.tif 000006
【図５】
2005058402.tif 000007
【図６】
2005058402.tif 000008
【図７】
2005058402.tif 000009
【図８】
2005058402.tif 000010
【図９】
2005058402.tif 000011
【図１０】
2005058402.tif 000012
【図１１】
2005058402.tif 000013
【図１２】
2005058402.tif 000014
【図１３】
2005058402.tif 000015
【図１４】
2005058402.tif 000016